【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
蓄電池と、
該蓄電池の端子電圧を測定する端子電圧測定部と、前記蓄電池に流れる電流を測定する電流測定部と、
蓄電池初期使用時からの経過を測定する第一の経過測定部と、充電時の端子電圧・電流と電池状態の関係モデルを劣化度ごとに複数用意した第一の多次元の特性モデルと、前記第一の経過測定部の出力に応じて前記第一の多次元の特性モデルから特性モデルを選択する第一の選択手段と、該第一の選択手段で選択した特性モデルから電池状態を推定する第一の推定部と、
均等充電時からの経過を測定する第二の経過測定部と、放電時の端子電圧・電流と電池状態の関係モデルを劣化度ごとに複数用意した第二の多次元の特性モデルと、前記第一の経過測定部の出力に応じて前記第二の多次元の特性モデルから特性モデルを選択する第二の選択手段と、該第二の選択手段で選択した特性モデルから電池状態を推定する第二の推定部と、
電流積算から電池状態を推定する第三の推定部と、
前記第二の経過測定部で求めた均等充電時の経過から、前記第一の推定部と前記第二の推定部と第三の推定部の出力にそれぞれ付与する重みを決定する重み決定手段と、
該重み決定手段で求めた重みを考慮した前記第一の推定部と前記第二の推定部と第三の推定部の出力に応じて最終的に電池状態を決定する決定手段と
から構成される蓄電池装置。
【請求項２】
蓄電池の端子電圧を測定する端子電圧測定部と、前記蓄電池に流れる電流を測定する電流測定部と、
蓄電池初期使用時からの経過を測定する第一の経過測定部と、充電時の端子電圧・電流と電池状態の関係モデルを劣化度ごとに複数用意した第一の多次元の特性モデルと、前記第一の経過測定部の出力に応じて前記第一の多次元の特性モデルから特性モデルを選択する第一の選択手段と、該第一の選択手段で選択した特性モデルから電池状態を推定する第一の推定部と、
均等充電時からの経過を測定する第二の経過測定部と、放電時の端子電圧・電流と電池状態の関係モデルを劣化度ごとに複数用意した第二の多次元の特性モデルと、前記第一の経過測定部の出力に応じて前記第二の多次元の特性モデルから特性モデルを選択する第二の選択手段と、該第二の選択手段で選択した特性モデルから電池状態を推定する第二の推定部と、
電流積算から電池状態を推定する第三の推定部と、
前記第二の経過測定部で求めた均等充電時の経過から、前記第一の推定部と前記第二の推定部と第三の推定部の出力にそれぞれ付与する重みを決定する重み決定手段と、
該重み決定手段で求めた重みを考慮した前記第一の推定部と前記第二の推定部と第三の推定部の出力に応じて最終的に電池状態を決定する決定手段と
から構成される蓄電池の電池状態評価装置。
【請求項３】
蓄電池の充電時と放電時について、端子電圧と電流と電池状態の関係を表すモデルをそれぞれ複数用意し、前記蓄電池の運転経過に応じて蓄電池の充電時と放電時のモデルをそれぞれ選択し、さらに電流積算からも電池状態を推定し、前記蓄電池の充電時と放電時のモデルから推定した現在の電池状態を含めた複数の電池状態から最終的な電池状態を決定するとともに、前記複数の電池状態から最終的な電池状態の決定のために均等充電時からの経過を使用することを特徴とする蓄電池の電池状態評価方法。
【手続補正２】
【補正対象書類名】明細書
【補正対象項目名】００１７
【補正方法】変更
【補正の内容】
【００１７】
また本発明の蓄電池装置は、蓄電池と、蓄電池の端子電圧を測定する端子電圧測定部と
、蓄電池に流れる電流を測定する電流測定部と、蓄電池初期使用時からの経過を測定する
第一の経過測定部と、充電時の端子電圧・電流と電池状態の関係モデルを劣化度ごとに複
数用意した第一の多次元の特性モデルと、第一の経過測定部の出力に応じて第一の多次元
の特性モデルから特性モデルを選択する第一の選択手段と、第一の選択手段で選択した特
性モデルから電池状態を推定する第一の推定部と、均等充電時からの経過を測定する第二
の経過測定部と、放電時の端子電圧・電流と電池状態の関係モデルを劣化度ごとに複数用
意した第二の多次元の特性モデルと、第一の経過測定部の出力に応じて第二の多次元の特
性モデルから特性モデルを選択する第二の選択手段と、第二の選択手段で選択した特性モ
デルから電池状態を推定する第二の推定部と、
電流積算から電池状態を推定する第三の推定部と、第二の経過測定部で求めた均等充電時
の経過から、第一の推定部と第二の推定部と第三の推定部の出力にそれぞれ付与する重み
を決定する重み決定手段と、重み決定手段で求めた重みを考慮した第一の推定部と第二の
推定部と第三の推定部の出力に応じて最終的に電池状態を決定する決定手段とから構成さ
れる。
【手続補正３】
【補正対象書類名】明細書
【補正対象項目名】００１９
【補正方法】変更
【補正の内容】
【００１９】
また本発明の蓄電池の性能評価装置は、蓄電池の端子電圧を測定する端子電圧測定部と
、蓄電池に流れる電流を測定する電流測定部と、
蓄電池初期使用時からの経過を測定する第一の経過測定部と、充電時の端子電圧・電流と
電池状態の関係モデルを劣化度ごとに複数用意した第一の多次元の特性モデルと、第一の
経過測定部の出力に応じて第一の多次元の特性モデルから特性モデルを選択する第一の選
択手段と、第一の選択手段で選択した特性モデルから電池状態を推定する第一の推定部と
、
均等充電時からの経過を測定する第二の経過測定部と、放電時の端子電圧・電流と電池状
態の関係モデルを劣化度ごとに複数用意した第二の多次元の特性モデルと、第一の経過測
定部の出力に応じて第二の多次元の特性モデルから特性モデルを選択する第二の選択手段
と、第二の選択手段で選択した特性モデルから電池状態を推定する第二の推定部と、
電流積算から電池状態を推定する第三の推定部と、
第二の経過測定部で求めた均等充電時の経過から、第一の推定部と第二の推定部と第三の
推定部の出力にそれぞれ付与する重みを決定する重み決定手段と、
重み決定手段で求めた重みを考慮した第一の推定部と第二の推定部と第三の推定部の出力
に応じて最終的に電池状態を決定する決定手段と
から構成してもよい。
【手続補正４】
【補正対象書類名】明細書
【補正対象項目名】００５８
【補正方法】変更
【補正の内容】
【００５８】
次に、電流積算からの電池状態推定部305で、現在の電池状態を推定する(ステップS405
)。これは、均等充電時からの電流Iを積算して電池状態を推定するものである。次に、
選択手段306は、蓄電池初期使用時からの経過測定部301の求めた結果（経過・劣化度）に
より、充電時特性モデル303のモデルの中から該当する関係モデルを選択する(ステップS406)。
【手続補正５】
【補正対象書類名】明細書
【補正対象項目名】００６９
【補正方法】変更
【補正の内容】
【００６９】
また図７は、図３の多次元の充電特性モデルの例を示しており、例えば劣化度が5%、温
度25℃の使用環境下で、充電電流が8Ａ乃至12Ａのときの特性を示している。多次元特性
モデルは、この複数の特性をさらに経過測定部301の求めた結果（経過・劣化度）の観点
から複数組準備したものである。
【手続補正６】
【補正対象書類名】図面
【補正対象項目名】図４
【補正方法】変更
【補正の内容】
【図４】
2011075364.tif 000001